(57)【特許請求の範囲】
【請求項１】
無線中継装置として動作する動作モードを有する基地局と、当該基地局の周辺に設置された周辺基地局とを備える通信システムにおいて、
前記基地局は、ネットワーク異常を検出すると、当該検出結果を周辺基地局に送信し、
前記周辺基地局は、前記基地局から前記検出結果を受信すると、前記ネットワーク異常が前記基地局のセル内の無線端末に与える影響に応じて、前記基地局を無線中継装置としての動作モードに切り換えるか、前記基地局を送信停止させるかを判定し、
前記周辺基地局は、前記判定結果に基づいて、前記基地局を無線中継装置としての動作モードに切り換えさせる指示、または、前記基地局を送信停止させる指示を前記基地局に送信する
ことを特徴とする通信システム。
【請求項２】
請求項１に記載の通信システムであって、前記周辺基地局は、コアネットワークから前記基地局に関する情報を収集して、前記ネットワーク異常が前記基地局のセル内の前記無線端末に与える影響を算出することを特徴とする通信システム。
【請求項３】
請求項１または２に記載の通信システムであって、前記基地局は、ネットワークの復旧を検出すると、通常モードに切り換えて基地局としての動作を開始することを特徴とする通信システム。
【請求項４】
基地局として動作する動作モードを有する無線中継装置と、当該無線中継装置の周辺に設置された周辺基地局とを備える通信システムにおいて、
前記無線中継装置は、ネットワーク異常を検出すると、当該検出結果を周辺基地局に送信し、
前記周辺基地局は、前記無線中継装置から前記検出結果を受信すると、前記ネットワーク異常が前記無線中継装置のセル内の無線端末に与える影響に応じて、前記無線中継装置を基地局としての動作モードに切り換えるか、前記無線中継装置を送信停止させるかを判定し、
前記周辺基地局は、前記判定結果に基づいて、前記無線中継装置を基地局としての動作モードに切り換えさせる指示、または、前記無線中継装置を送信停止させる指示を前記無線中継装置に送信する
ことを特徴とする通信システム。
【請求項５】
請求項４に記載の通信システムであって、前記周辺基地局は、コアネットワークから前記無線中継装置に関する情報を収集して、前記ネットワーク異常が前記無線中継装置のセル内の前記無線端末に与える影響を算出することを特徴とする通信システム。
【請求項６】
請求項４または５に記載の通信システムであって、前記無線中継装置は、ネットワークの復旧を検出すると、通常モードに切り換えて無線中継装置としての動作を開始することを特徴とする通信システム。
【請求項７】
無線中継装置として動作する動作モードを有する基地局と、当該基地局の周辺に設置された周辺基地局とを備える通信システムにおける通信方法であって、
前記基地局が、ネットワーク異常を検出すると、当該検出結果を周辺基地局に送信するステップと、
前記周辺基地局が、前記基地局から前記検出結果を受信すると、前記ネットワーク異常が前記基地局のセル内の無線端末に与える影響に応じて、前記基地局を無線中継装置としての動作モードに切り換えるか、前記基地局を送信停止させるかを判定するステップと、
前記周辺基地局が、前記判定結果に基づいて、前記基地局を無線中継装置としての動作モードに切り換えさせる指示、または、前記基地局を送信停止させる指示を前記基地局に送信するステップと
を含むことを特徴とする通信方法。
【請求項８】
基地局として動作する動作モードを有する無線中継装置と、当該無線中継装置の周辺に設置された周辺基地局とを備える通信システムにおける通信方法であって、
前記無線中継装置が、ネットワーク異常を検出すると、当該検出結果を周辺基地局に送信するステップと、
前記周辺基地局が、前記無線中継装置から前記検出結果を受信すると、前記ネットワーク異常が前記無線中継装置のセル内の無線端末に与える影響に応じて、前記無線中継装置を基地局としての動作モードに切り換えるか、前記無線中継装置を送信停止させるかを判定するステップと、
前記周辺基地局が、前記判定結果に基づいて、前記無線中継装置を基地局としての動作モードに切り換えさせる指示、または、前記無線中継装置を送信停止させる指示を前記無線中継装置に送信するステップと
を含むことを特徴とする通信方法。
【発明の詳細な説明】
【技術分野】
【０００１】
本発明は、通信システムおよび通信方法に関するものである。
【背景技術】
【０００２】
無線通信システムは、例えば、上流側から、コアネットワークに無線ネットワーク制御装置が接続し、無線ネットワーク制御装置に基地局が接続し、基地局がセル内の無線端末と無線接続するというように構成される。ここで、「セル」とは１つの基地局が無線端末との無線通信を担当する領域である。また、「上流」とはコアネットワーク側をいい、「下流」とは無線端末側のことをいうものとする。
【０００３】
無線ネットワーク制御装置と基地局とは、多くの場合、光ファイバなどの有線回線によって接続される。基地局には、ベースバンドユニットと無線ユニットとが一体に構成されている基地局（以下「一体型基地局」と称する）と、分離して離れた位置に設置されている基地局（以下「分離型基地局」と称する）がある。分離型基地局の場合、ベースバンドユニットと無線ユニットとは光ファイバなどによって接続される。
【０００４】
離れた位置に設置された装置間の接続などに使用される光ファイバは、災害や事故などに起因して、物理的な断線などの障害が発生することがある。この場合、障害が発生した光ファイバを介して接続されている装置間においてはデータ伝送を行うことができなくなる。したがって、例えば、ある無線ネットワーク制御装置と基地局とを接続する光ファイバに障害が発生すると、当該基地局のセル内に位置する無線端末の通信は不安定な状態（通信不可またはつながりにくい状態）になってしまう。
【０００５】
上述のように、光ファイバに障害が発生すると、障害発生箇所の下流にある基地局のセル内に位置する無線端末は通信不安定になるが、それ以外の問題も発生する。例えば、障害発生箇所の下流の基地局が動作し続けると、不要な電波を送信することにより周囲の無線通信環境に対して悪影響を与える可能性がある。また、このような無線通信に寄与しない基地局が動作し続けることは電力を無駄に消費することになる。
【先行技術文献】
【特許文献】
【０００６】
【特許文献１】特開２０００−１０２０５４号公報
【発明の概要】
【発明が解決しようとする課題】
【０００７】
上述した不要な電波の送信や無駄な電力消費の問題を解決するために、例えば、有線回線に障害が発生すると、当該障害を検知して自動的に送信を停止する基地局の発明が知られている（例えば、特許文献１参照）。
【０００８】
しかしながら、基地局の送信を停止することは、不要な電波の送信や無駄な電力消費といった悪影響を防ぐことができるのみであり、障害発生箇所下流の基地局のセル内に位置する無線端末が通信不安定になってしまう問題については解決できない。
【０００９】
したがって、かかる点に鑑みてなされた本発明の目的は、有線回線に障害が発生した場合に、当該障害により通信不安定になる無線端末をできるだけ減らすことができる通信システムおよび通信方法を提供することにある。
【課題を解決するための手段】
【００１０】
上記目的を達成する第１の観点に係る通信システムの発明は、
無線中継装置として動作する動作モードを有する基地局と、当該基地局の周辺に設置された周辺基地局とを備える通信システムにおいて、
前記基地局は、ネットワーク異常を検出すると、当該検出結果を周辺基地局に送信し、
前記周辺基地局は、前記基地局から前記検出結果を受信すると、前記ネットワーク異常が前記基地局のセル内の無線端末に与える影響に応じて、前記基地局を無線中継装置としての動作モードに切り換えるか、前記基地局を送信停止させるかを判定し、
前記周辺基地局は、前記判定結果に基づいて、前記基地局を無線中継装置としての動作モードに切り換えさせる指示、または、前記基地局を送信停止させる指示を前記基地局に送信する
ことを特徴とする。
【００１１】
第２の観点に係る発明は、第１の観点に係る通信システムであって、前記周辺基地局は、コアネットワークから前記基地局に関する情報を収集して、前記ネットワーク異常が前記基地局のセル内の前記無線端末に与える影響を算出することを特徴とする。
【００１２】
第３の観点に係る発明は、第１または第２の観点に係る通信システムであって、前記基地局は、ネットワークの復旧を検出すると、通常モードに切り換えて基地局としての動作を開始することを特徴とする。
【００１３】
上記目的を達成する第４の観点に係る通信システムの発明は、
基地局として動作する動作モードを有する無線中継装置と、当該無線中継装置の周辺に設置された周辺基地局とを備える通信システムにおいて、
前記無線中継装置は、ネットワーク異常を検出すると、当該検出結果を周辺基地局に送信し、
前記周辺基地局は、前記無線中継装置から前記検出結果を受信すると、前記ネットワーク異常が前記無線中継装置のセル内の無線端末に与える影響に応じて、前記無線中継装置を基地局としての動作モードに切り換えるか、前記無線中継装置を送信停止させるかを判定し、
前記周辺基地局は、前記判定結果に基づいて、前記無線中継装置を基地局としての動作モードに切り換えさせる指示、または、前記無線中継装置を送信停止させる指示を前記無線中継装置に送信する
ことを特徴とする。
【００１４】
第５の観点に係る発明は、第４の観点に係る通信システムであって、前記周辺基地局は、コアネットワークから前記無線中継装置に関する情報を収集して、前記ネットワーク異常が前記無線中継装置のセル内の前記無線端末に与える影響を算出することを特徴とする。
【００１５】
第６の観点に係る発明は、第４または第５の観点に係る通信システムであって、前記無線中継装置は、ネットワークの復旧を検出すると、通常モードに切り換えて無線中継装置としての動作を開始することを特徴とする。
【００１６】
上述したように本発明の解決手段をシステムとして説明してきたが、本発明はこれらに実質的に相当する方法、プログラム、プログラムを記録した記憶媒体としても実現し得るものであり、本発明の範囲にはこれらも包含されるものと理解されたい。
【００１７】
例えば、本発明を方法として実現させた第７の観点に係る通信方法の発明は、
無線中継装置として動作する動作モードを有する基地局と、当該基地局の周辺に設置された周辺基地局とを備える通信システムにおける通信方法であって、
前記基地局が、ネットワーク異常を検出すると、当該検出結果を周辺基地局に送信するステップと、
前記周辺基地局が、前記基地局から前記検出結果を受信すると、前記ネットワーク異常が前記基地局のセル内の無線端末に与える影響に応じて、前記基地局を無線中継装置としての動作モードに切り換えるか、前記基地局を送信停止させるかを判定するステップと、
前記周辺基地局が、前記判定結果に基づいて、前記基地局を無線中継装置としての動作モードに切り換えさせる指示、または、前記基地局を送信停止させる指示を前記基地局に送信するステップと
を含むことを特徴とする。
【００１８】
本発明を方法として実現させた第８の観点に係る通信方法の発明は、
基地局として動作する動作モードを有する無線中継装置と、当該無線中継装置の周辺に設置された周辺基地局とを備える通信システムにおける通信方法であって、
前記無線中継装置が、ネットワーク異常を検出すると、当該検出結果を周辺基地局に送信するステップと、
前記周辺基地局が、前記無線中継装置から前記検出結果を受信すると、前記ネットワーク異常が前記無線中継装置のセル内の無線端末に与える影響に応じて、前記無線中継装置を基地局としての動作モードに切り換えるか、前記無線中継装置を送信停止させるかを判定するステップと、
前記周辺基地局が、前記判定結果に基づいて、前記無線中継装置を基地局としての動作モードに切り換えさせる指示、または、前記無線中継装置を送信停止させる指示を前記無線中継装置に送信するステップと
を含むことを特徴とする。
【発明の効果】
【００１９】
本発明によれば、有線回線に障害が発生した場合に、当該障害により通信不安定になる無線端末をできるだけ減らすことができる通信システムおよび通信方法を提供することができる。
【図面の簡単な説明】
【００２０】
【図１】本発明の一実施形態に係る無線通信システムの概略図である。
【図２】本発明の一実施形態に係る一体型基地局の概略構成を示す機能ブロック図である。
【図３】本発明の一実施形態に係る無線中継装置の概略構成を示す機能ブロック図である。
【図４】図１の無線通信システムの一箇所に障害がある場合を示す図である。
【図５】図４の障害の影響を最小限に抑えるための本発明の第１実施形態に係る動作のフローチャートである。
【図６】図１の無線通信システムの他の箇所に障害がある場合を示す図である。
【図７】図６の障害の影響を最小限に抑えるための本発明の第２実施形態に係る動作のフローチャートである。
【発明を実施するための形態】
【００２１】
以下、本発明に係る実施形態について、図面を参照して説明する。
【００２２】
図１は、本発明の一実施形態に係る無線通信システムの概略図である。図１に示す無線通信システムは、コアネットワーク１０、無線ネットワーク制御装置１２−１および１２−２、一体型基地局１４、分離型基地局１６、無線中継装置２２、ならびに、無線端末２４−１〜２４−９を備える。
【００２３】
なお、図１はあくまでも無線通信システムの一例を示したものであり、各装置の台数等はこれに限るものではない。例えば、図１に示す無線通信システムは、無線ネットワーク制御装置として、無線ネットワーク制御装置１２−１および１２−２の２台を備えているが、これは２台に限るものではなく１台以上の任意の台数であってよい。
【００２４】
また、無線ネットワーク制御装置１２−１および１２−２は同種の装置であり、総称する場合は無線ネットワーク制御装置１２と記載する。以後、符号については同様に取り扱う。同種の装置等を区別する場合はハイフン後の数字で区別し、総称する場合はハイフン前の数字のみを記載する。
【００２５】
コアネットワーク１０は、インターネットなどの外部網と接続し回線交換などを行う。
【００２６】
無線ネットワーク制御装置１２は、コアネットワーク１０ならびに一体型基地局１４や分離型基地局１６と接続する。無線ネットワーク制御装置１２は、無線回線の回線接続制御やハンドオーバ制御等を行う。
【００２７】
一体型基地局１４は、無線ネットワーク制御装置１２−１と光ファイバ等により接続される。一体型基地局１４は、ベースバンド機能と無線機能とを一体として有する。一体型基地局１４は、セル内に位置する無線端末２４−１および２４−２と無線通信を行う。図２に示すように、一体型基地局１４は、無線ネットワーク制御装置１２−１とデータを送受信するＩＦ（インターフェース）部１４Ａと、ベースバンド機能と無線機能とが一体となっている無線部１４Ｂと、一体型基地局１４の各種制御を行う制御部１４Ｃと、一体型基地局１４の基地局ＩＤなどの情報を記憶する記憶部１４Ｄとを備える。
【００２８】
また、一体型基地局１４は、動作モードを切り換えることにより無線中継装置として動作することも可能である。周辺基地局から、無線中継装置として動作することの指示を受信した場合は、一体型基地局１４は、動作モードを切り換えて無線中継装置として動作する。ここで、周辺基地局とは、一体型基地局１４の周辺に設置され、一体型基地局１４が無線通信することが可能な基地局である。例えば、分離型基地局１６が一体型基地局１４の周辺に位置し、一体型基地局１４が当該分離型基地局１６と無線通信可能であれば、当該分離型基地局１６は周辺基地局であり得る。
【００２９】
さらに、一体型基地局１４は、周辺基地局からの指示を受信して、送信停止をすることもできる。一体型基地局１４は、無線ネットワーク制御装置１２−１との間の光ファイバに障害が起こった場合などに、無線中継装置としての動作モードへの切り換えや送信停止などの指示を周辺基地局から受信する。これらの処理については、図５のフローチャートの説明において後述する。
【００３０】
分離型基地局１６は、無線ネットワーク制御装置１２−１とデータを送受信するＩＦ（インターフェース）部１６Ａと、分離型基地局１６の各種制御を行う制御部１６Ｂと、分離型基地局１６の基地局ＩＤ、座標、空き無線リソース量などの情報を記憶する記憶部１６Ｃと、ベースバンドユニット１８と、無線ユニット２０−１〜２０−３とを備える。ベースバンドユニット１８と無線ユニット２０とは離れた場所に設置され、光ファイバ等により接続される。
【００３１】
また、分離型基地局１６は、動作モードを切り換えることにより無線中継装置として動作することも可能である。周辺基地局から、無線中継装置として動作することの指示を受信した場合は、分離型基地局１６は、動作モードを切り換えて無線中継装置として動作する。ここで、周辺基地局とは、分離型基地局１６の周辺に設置され、分離型基地局１６が無線通信することが可能な基地局である。例えば、一体型基地局１４が分離型基地局１６の周辺に位置し、分離型基地局１６が一体型基地局１４と無線通信可能であれば、一体型基地局１４は周辺基地局であり得る。
【００３２】
さらに、分離型基地局１６は、周辺基地局からの指示を受信して、送信停止をすることもできる。分離型基地局１６は、無線ネットワーク制御装置１２−１との間の光ファイバに障害が起こった場合などに、無線中継装置としての動作モードへの切り換えや送信停止などの指示を周辺基地局から受信する。
【００３３】
ベースバンドユニット１８は、ダウンリンクについては、無線ネットワーク制御装置１２−１からＩＦ部１６Ａおよび制御部１６Ｂを介してダウンリンクデータを受け取り、ベースバンド信号に変換してから無線ユニット２０−１〜２０−３に送信する。また、ベースバンドユニット１８は、アップリンクについては、無線ユニット２０−１〜２０−３からベースバンド信号を受け取り、アップリンクデータに変換してから制御部１６ＢおよびＩＦ部１６Ａを介して無線ネットワーク制御装置１２−１に出力する。
【００３４】
無線ユニット２０は、ダウンリンク信号については、ベースバンドユニット１８からベースバンド周波数の信号を受け取り、無線信号にアップコンバートしてから、無線中継装置２２または無線端末２４に送信する。無線ユニット２０は、アップリンク信号については、無線中継装置２２または無線端末２４から無線信号を受信し、ベースバンド周波数にダウンコンバートしてから、ベースバンドユニット１８に出力する。
【００３５】
無線中継装置２２は、高層ビル等が立ち並ぶ市街地など障害物の影響などにより、一体型基地局１４や分離型基地局１６の電波が届きにくい領域に設置される。図１に示す無線通信システムの例においては、無線中継装置２２は、分離型基地局１６の無線ユニット２０−１と無線端末２４−３および２４−４との間を中継する。無線中継装置２２は、ダウンリンクにおいては、無線ユニット２０から無線信号を受信し無線端末２４に送信する。無線中継装置２２は、アップリンクにおいては、無線端末２４から無線信号を受信し無線ユニット２０に送信する。図３に示すように、無線中継装置２２は、無線ユニット２０−１とデータを送受信する基地局側送受信部２２Ａと、無線中継装置２２の各種制御を行う制御部２２Ｂと、無線中継装置２２の基地局ＩＤ、座標、空き無線リソース量などの情報を記憶する記憶部２２Ｃと、端末側送受信部２２Ｄとを備える。また、無線中継装置２２は、無線ネットワーク制御装置１２とデータを送受信可能なＩＦ（インターフェース）部２２Ｅを備えており、制御部２２−Ｂは、必要に応じて、基地局側送受信部２２Ａ、または、ＩＦ部２２Ｅに接続を切り替える。
【００３６】
また、無線中継装置２２は、動作モードを切り換えることによりピコセルとして動作することも可能である。ここで、ピコセルとは、セル半径の小さい基地局であり、セル半径が数十メートル程度の基地局のことをいう。周辺基地局から、ピコセルとしての動作指示を受信した場合は、無線中継装置２２は、動作モードを切り換えてピコセルとして動作する。
【００３７】
さらに、無線中継装置２２は、周辺基地局からの指示を受信して、送信停止をすることもできる。無線中継装置２２は、ベースバンドユニット１８と無線ユニット２０−１との間の光ファイバに障害が起こった場合などに、ピコセルとしての動作モードへの切り換えや送信停止などの指示を周辺基地局から受信する。これらの処理については、図７のフローチャートの説明において後述する。
【００３８】
なお、図１においては、分離型基地局１６の無線ユニット２０−１と無線中継装置２２とが無線通信を行う構成を示したが、これは、あくまで一例であり、一体型基地局１４と無線中継装置２２が無線通信を行うことも可能であるし、他の無線ユニット２０−２または２０−３と無線中継装置２２が無線通信を行うことも可能である。また、無線中継装置２２は１台に限るものではなく、図１に示す無線通信システムにおいて複数の無線中継装置２２を設置してもよい。
【００３９】
無線端末２４は、一体型基地局１４、無線ユニット２０−１〜２０−３または無線中継措置２２と無線通信を行う。
【００４０】
一体型基地局１４、分離型基地局１６、ベースバンドユニット１８、無線ユニット２０および無線中継装置２２が有するその他の機能については、図５および図７のフローチャートの説明において後述する。
【００４１】
（第１実施形態）
図４は、図１に示した無線通信システムにおいて、無線ネットワーク制御装置１２−１と一体型基地局１４とを接続する光ファイバに物理的な断線などの障害が発生した場合の様子を示す図である。
【００４２】
図４に示すような光ファイバの障害が発生した場合、当該障害の下流にある一体型基地局１４のセル内に位置する無線端末２４−１および２４−２は、通信不安定になる可能性がある。
【００４３】
図５のフローチャートを参照しながら、図４のような光ファイバの障害が発生した場合に、当該光ファイバの障害の影響を最小限に抑えるための処理を説明する。なお、図５においては、一体型基地局１４と無線ネットワーク制御装置１２−１とを接続する光ファイバに障害が発生した場合について説明するが、分離型基地局１６と無線ネットワーク制御装置１２−１とを接続する光ファイバに障害が発生した場合も、同様の処理となる。
【００４４】
一体型基地局１４の制御部１４Ｃは、ネットワーク状況が正常であるか否かを定期的に監視する（ステップＳ１０１）。一体型基地局１４の制御部１４Ｃは、ネットワーク状況に異常があるか否かを判定する（ステップＳ１０２）。一体型基地局１４の制御部１４Ｃは、光ファイバに障害が発生しているなどのネットワーク状況の異常が検出されなかった場合は、引き続きネットワーク状況の監視を続ける。
【００４５】
一体型基地局１４の制御部１４Ｃは、ネットワーク状況の異常を検出した場合、周辺基地局が送信する同期信号を検出して当該同期信号に同期する（ステップＳ１０３）。
【００４６】
一体型基地局１４の制御部１４Ｃは、同期した周辺基地局に対し、一体型基地局１４の基地局ＩＤおよびネットワーク異常が発生していることを示す信号を送信する（ステップＳ１０４）。
【００４７】
周辺基地局の制御部は、一体型基地局１４から、基地局ＩＤおよびネットワーク異常が発生していることを示す信号を受信すると、当該基地局ＩＤに基づいて、無線ネットワーク制御装置１２を介して、コアネットワーク１０から一体型基地局１４の情報を収集する。周辺基地局の制御部は、例えば、一体型基地局１４の座標、一体型基地局１４が制御信号を送信する際の送信出力、一体型基地局１４のネットワーク異常検出前の無線リソース使用量、一体型基地局１４周辺の無線端末２４の数、および、一体型基地局１４周辺のセル状況（他の周辺基地局の座標、他の周辺基地局が制御信号を送信する際の送信出力、他の周辺基地局の空き無線リソース量）などの情報を収集する（ステップＳ１０５）。
【００４８】
周辺基地局の制御部は、ステップＳ１０５で収集した情報に基づいて、ネットワーク異常が、一体型基地局１４のセル内の無線端末２４に与える影響を確認する（ステップＳ１０６）。このとき、周辺基地局の制御部は、コアネットワーク１０から収集した情報に含まれる、一体型基地局１４の座標と、一体型基地局１４のネットワーク異常検出前の無線リソース使用量、当該一体型基地局１４周辺の他の周辺基地局の座標と、当該他の周辺基地局が制御信号を送信する際の送信出力と、他の周辺基地局の空き無線リソース量と、その他の情報とし、自局の座標と、自局が制御信号を送信する際の送信出力と、自局の空き無線リソース量を利用して、無線端末２４に与える影響を確認する。影響を確認する手段としては、自局、他の周辺基地局の座標と、制御信号を送信する際の送信出力とから、各周辺基地局のセルエリアを算出し、当該算出した複数の周辺基地局のセルエリアと、一体型基地局１４の座標、制御信号を送信する際の送信出力とから算出されるセルエリアとの重なり具合を算出する。また、一体型基地局１４と複数の周辺基地局とのセルエリアの重なり具合と、一体型基地局１４周辺の無線端末２４の数と、自局、他の周辺基地局の空き無線リソース量の合計と一体型基地局１４の異常検出前の無線リソース使用量との比較結果から、自局、他の周辺基地局が、当該無線端末２４がハンドオーバにより自局、他の周辺基地局に接続し、通信可能か確認する。
【００４９】
周辺基地局の制御部は、収集した情報から一体型基地局１４を無線中継装置として動作させるか送信停止させるかを判定する。例えば、Ｓ１０６において確認した一体型基地局１４のセルエリアと、複数の周辺基地局とのセルエリアの重なり具合が所定値以下で、一体型基地局１４のセル内の無線端末２４の多くが通信不安定になってしまう場合は、周辺基地局の制御部は、一体型基地局１４を無線中継装置として動作させるとの判定をする。また、例えば、Ｓ１０６において確認した一体型基地局１４のセルエリアと、複数の周辺基地局とのセルエリアの重なり具合が所定値を超え、さらに、一体型基地局１４の異常検出前の無線リソース使用量よりも、自局、他の周辺基地局の空き無線リソース量の合計が大きく、一体型基地局１４のセル内の無線端末２４がハンドオーバにより他の基地局に接続して通信可能である場合は、周辺基地局の制御部は、一体型基地局１４を送信停止させるとの判定をする（ステップＳ１０７）。
【００５０】
周辺基地局の制御部は、ステップＳ１０７において、一体型基地局１４を無線中継装置として動作させると判定した場合は、一体型基地局１４にその旨の指示を送信する（ステップＳ１０８）。また、周辺基地局の制御部は、ステップＳ１０７において、一体型基地局１４を無線中継装置として動作させないと判定した場合は、一体型基地局１４に送信停止の指示を送信する（ステップＳ１０９）。
【００５１】
一体型基地局１４の制御部１４Ｃは、ステップＳ１０８の指示に応じて無線中継装置としての動作に切り換えた後も、ネットワークの状況を定期的に監視する（ステップＳ１１０）。一体型基地局１４の制御部１４Ｃは、ネットワークが復旧したか否かを判定する（ステップＳ１１１）。一体型基地局１４の制御部１４Ｃは、ネットワークが復旧していない場合は、引き続きネットワーク状況の監視を続ける。
【００５２】
一体型基地局１４の制御部１４Ｃは、ネットワークが復旧したと判定した場合、通常モードに切り換え、再び基地局としての動作を開始する（ステップＳ１１２）。
【００５３】
一体型基地局１４の制御部１４Ｃは、ステップＳ１０９の指示に応じて送信停止をした後も、ネットワークの状況を定期的に監視する（ステップＳ１１３）。一体型基地局１４の制御部１４Ｃは、ネットワークが復旧したか否かを判定する（ステップＳ１１４）。一体型基地局１４の制御部１４Ｃは、ネットワークが復旧していない場合は、引き続きネットワーク状況の監視を続ける。
【００５４】
一体型基地局１４の制御部１４Ｃは、ネットワークが復旧したと判定した場合、送信停止を解除し、再び基地局としての動作を開始する（ステップＳ１１５）。
【００５５】
このように、本実施形態によれば、図４に示すような光ファイバの障害が発生した場合であっても、その影響を最小限に抑えることができる。
【００５６】
（第２実施形態）
図６は、図１に示した無線通信システムにおいて、ベースバンドユニット１８と無線ユニット２０−１とを接続する光ファイバに物理的な断線などの障害が発生した場合の様子を示す図である。
【００５７】
図６に示すような光ファイバの障害が発生した場合、障害発生箇所の下流に位置する無線端末２４−３〜２４−５は通信が不安定になる可能性がある。
【００５８】
図７のフローチャートを参照しながら、図６のような光ファイバの障害が発生した場合に、当該光ファイバの障害の影響を最小限に抑えるための処理を説明する。
【００５９】
無線中継装置２２の制御部２２Ｂは、ネットワーク状況が正常であるか否かを定期的に監視する（ステップＳ２０１）。無線中継装置２２の制御部２２Ｂは、ネットワーク状況に異常があるか否かを判定する（ステップＳ２０２）。無線中継装置２２の制御部２２Ｂは、光ファイバに障害が発生しているなどのネットワーク状況の異常が検出されなかった場合は、引き続きネットワーク状況の監視を続ける。
【００６０】
無線中継装置２２の制御部２２Ｂは、ネットワーク状況の異常を検出した場合、周辺基地局が送信する同期信号を検出して当該同期信号に同期する（ステップＳ２０３）。
【００６１】
無線中継装置２２の制御部２２Ｂは、同期した周辺基地局に対し、無線中継装置２２の基地局ＩＤおよびネットワーク異常が発生していることを示す信号を送信する（ステップＳ２０４）。
【００６２】
周辺基地局の制御部は、無線中継装置２２から、基地局ＩＤおよびネットワーク異常が発生していることを示す信号を受信すると、当該基地局ＩＤに基づいて、無線ネットワーク制御装置１２を介して、コアネットワーク１０から無線中継装置２２の情報を収集する。周辺基地局の制御部は、例えば、無線中継装置２２の座標、無線中継装置２２が制御信号を送信する際の送信出力、無線中継装置２２のネットワーク異常検出前の無線リソース使用量、無線中継装置２２周辺の無線端末２４の数、および、無線中継装置２２周辺のセル状況（他の周辺基地局の座標、他の周辺基地局が制御信号を送信する際の送信出力、他の周辺基地局の空き無線リソース量）などの情報を収集する（ステップＳ２０５）。
【００６３】
周辺基地局の制御部は、ステップＳ２０５で収集した情報に基づいて、ネットワーク異常が、無線中継装置２２のセル内の無線端末２４に与える影響を確認する（ステップＳ２０６）。このとき、周辺基地局の制御部は、コアネットワーク１０から収集した情報に含まれる、無線中継装置２２の座標と、無線中継装置２２のネットワーク異常検出前の無線リソース使用量、当該無線中継装置２２周辺の他の周辺基地局の座標と、当該他の周辺基地局が制御信号を送信する際の送信出力と、他の周辺基地局の無線リソース使用量と、その他の情報とし、自局の座標と、自局が制御信号を送信する際の送信出力と、自局の無線リソース使用量を利用して、無線端末２４に与える影響を確認する。影響を確認する手段としては、自局、他の周辺基地局の座標と、制御信号を送信する際の送信出力とから、各周辺基地局のセルエリアを算出し、当該算出した複数の周辺基地局のセルエリアと、無線中継装置２２の座標、制御信号を送信する際の送信出力とから算出されるセルエリアとの重なり具合を確認する。また、無線中継装置２２と複数の周辺基地局とのセルエリアの重なり具合と、無線中継装置２２周辺の無線端末２４の数と、自局、他の周辺基地局の空き無線リソース量の合計と無線中継装置２２の異常検出前の無線リソース使用量との比較結果から、自局、他の周辺基地局が、当該無線端末２４がハンドオーバにより自局、他の周辺基地局に接続し、通信可能か確認する。
【００６４】
周辺基地局の制御部は、収集した情報から無線中継装置２２をピコセルとして動作させるか送信停止させるかを判定する。例えば、Ｓ２０６において確認した無線中継装置２２のセルエリアと、複数の周辺基地局とのセルエリアの重なり具合が所定値以下で、無線中継装置２２のセル内の無線端末２４の多くが通信不安定になってしまう場合は、周辺基地局の制御部は、無線中継装置２２をピコセルとして動作させるとの判定をする。また、例えば、Ｓ２０６において確認した無線中継装置２２のセルエリアと、複数の周辺基地局とのセルエリアの重なり具合が所定値を超え、さらに、無線中継装置２２の異常検出前の無線リソース使用量よりも、自局、他の周辺基地局の空き無線リソース量の合計が大きく、無線中継装置２２のセル内の無線端末２４がハンドオーバにより他の基地局に接続して通信可能である場合は、周辺基地局の制御部は、無線中継装置２２を送信停止させるとの判定をする（ステップＳ２０７）。
【００６５】
周辺基地局の制御部は、ステップＳ２０７において、無線中継装置２２をピコセルとして動作させると判定した場合は、無線中継装置２２にその旨の指示を送信する（ステップＳ２０８）。また、周辺基地局の制御部は、ステップＳ２０７において、無線中継装置２２をピコセルとして動作させないと判定した場合は、無線中継装置２２に送信停止の指示を送信する（ステップＳ２０９）。
【００６６】
無線中継装置２２の制御部２２Ｂは、ステップＳ２０８の指示に応じてピコセルとしての動作に切り換える。無線中継装置２２の制御部２２Ｂは、ピコセルとしての動作に切り換えるにあたり、基地局側送受信部２２ＡからＩＦ部２２Ｅに自制御部２２Ｂの接続を切り換える。そして、無線中継装置２２の制御部２２Ｂは、ピコセルとしての動作に切り換えた後も、ネットワークの状況を定期的に監視する（ステップＳ２１０）。無線中継装置２２の制御部２２Ｂは、ネットワークが復旧したか否かを判定する（ステップＳ２１１）。無線中継装置２２の制御部２２Ｂは、ネットワークが復旧していない場合は、引き続きネットワーク状況の監視を続ける。
【００６７】
無線中継装置２２の制御部２２Ｂは、ネットワークが復旧したと判定した場合、通常モードに切り換え、無線中継装置２２としての動作を開始し、無線ユニット２０−１と無線端末２４との間の無線信号の送受信を中継する（ステップＳ２１２）。
【００６８】
無線中継装置２２の制御部２２Ｂは、ステップＳ２０９の指示に応じて送信停止をした後も、ネットワークの状況を定期的に監視する（ステップＳ２１３）。無線中継装置２２の制御部２２Ｂは、ネットワークが復旧したか否かを判定する（ステップＳ２１４）。無線中継装置２２の制御部２２Ｂは、ネットワークが復旧していない場合は、引き続きネットワーク状況の監視を続ける。
【００６９】
無線中継装置２２の制御部は、ネットワークが復旧したと判定した場合、送信停止を解除し、無線ユニット２０−１と無線端末２４との間の無線信号の送受信を中継する（ステップＳ２１５）。
【００７０】
このように、本実施形態によれば、図６に示すような光ファイバの障害が発生した場合であっても、その影響を最小限に抑えることができる。
【００７１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００７２】
１０    コアネットワーク
１２    無線ネットワーク制御装置
１４    一体型基地局
１４Ａ  ＩＦ部
１４Ｂ  無線部
１４Ｃ  制御部
１４Ｄ  記憶部
１６    分離型基地局
１６Ａ  ＩＦ部
１６Ｂ  制御部
１６Ｃ  記憶部
１８    ベースバンドユニット
２０    無線ユニット
２２    無線中継装置
２２Ａ  基地局側送受信部
２２Ｂ  制御部
２２Ｃ  記憶部
２２Ｄ  端末側送受信部
２２Ｅ  ＩＦ部
２４    無線端末
【図１】
0005756005.tif 000002
【図２】
0005756005.tif 000003
【図３】
0005756005.tif 000004
【図４】
0005756005.tif 000005
【図５】
0005756005.tif 000006
【図６】
0005756005.tif 000007
【図７】
0005756005.tif 000008